(57)【要約】      （修正有）【課題】使い勝手の良いテレビ電話を実現する。【解決手段】携帯情報端末１１は、第１のマイクと、第１の通信手段と、設定手段と、及び第２の通信手段とを有する。第１通信手段は、テレビ装置１２との間で映像と音声とを入出力する。設定手段は、前記第１のマイクと前記テレビ装置に設けられた第２のマイクの何れかを設定する。第２の通信手段は、前記設定手段により設定された前記第１のマイクあるいは前記第２のマイクの何れかにより入力された音声と、前記テレビ装置から入力された映像とを他の電子機器１５，１８に送信すると共に、前記他の電子機器から映像と音声を受信する。【選択図】図１
2012248990.tif 000002
【特許請求の範囲】
【請求項１】
第１のマイクと、
第１の電子機器との間で映像と音声とを入出力する第１の通信手段と、
前記第１のマイクと前記第１の電子機器に設けられた第２のマイクの何れかを設定する設定手段と、
前記設定手段により設定された前記第１のマイクあるいは前記第２のマイクの何れかにより入力された音声と、前記第１の電子機器から入力された映像とを第２の電子機器に送信すると共に、前記第２の電子機器から映像と音声を受信する第２の通信手段と
を具備する電子機器。
【請求項２】
前記第１のマイクと前記第２のマイクの何れかを選択する指示を入力する入力手段をさらに具備し、
前記設定手段は、前記指示に応じて、前記第１のマイクと前記第２のマイクの何れかを設定する請求項１記載の電子機器。
【請求項３】
前記第１の電子機器から入力された映像に基づいて、映像に含まれる人物の数を判別する第１の判別手段をさらに具備し、
前記設定手段は、前記第１の判別手段により判別された人数に応じて、前記第１のマイクと前記第２のマイクの何れかを設定する請求項１記載の電子機器。
【請求項４】
前記第１の電子機器から入力された映像に基づいて、映像に含まれる人物の間の距離を判別する第２の判別手段をさらに具備し、
前記設定手段は、前記第２の判別手段により判別された距離に応じて、前記第１のマイクと前記第２のマイクの何れかを設定する請求項１記載の電子機器。
【請求項５】
前記第１の電子機器から入力された音声に基づいて、音声を発した人物の数を判別する第３の判別手段をさらに具備し、
前記設定手段は、前記第３の判別手段により判別された人数に応じて、前記第１のマイクと前記第２のマイクの何れかを設定する請求項１記載の電子機器。
【請求項６】
前記第２の通信手段により前記第２の電子機器との間で映像と音声を送受信している間に、テキストデータを入力するテキスト入力手段をさらに具備し、
前記第２の通信手段は、前記テキストデータを前記第２の電子機器に送信する請求項１記載の電子機器。
【請求項７】
第１のマイクと第１の電子機器に設けられた第２のマイクの何れかを設定し、
前記第１の電子機器から映像と音声を入力し、
前記第１のマイクあるいは前記第２のマイクの何れかにより入力された音声と、前記第１の電子機器から入力された映像とを第２の電子機器に送信すると共に、前記第２の電子機器から映像と音声を受信し、
前記第２の電子機器から受信した映像と音声を前記第１の電子機器に出力するテレビ電話方法。
【請求項８】
前記第１のマイクと前記第２のマイクの何れかを選択する指示を入力し、
この指示に応じて、前記第１のマイクと前記第２のマイクの何れかを設定する請求項７記載のテレビ電話方法。
【請求項９】
前記第１の電子機器から入力された映像に基づいて、映像に含まれる人物の数を判別し、
この判別された人数に応じて、前記第１のマイクと前記第２のマイクの何れかを設定する請求項７記載のテレビ電話方法。
【請求項１０】
前記第１の電子機器から入力された映像に基づいて、映像に含まれる人物の間の距離を判別し、
この判別された距離に応じて、前記第１のマイクと前記第２のマイクの何れかを設定する請求項７記載のテレビ電話方法。
【請求項１１】
前記第１の電子機器から入力された音声に基づいて、音声を発した人物の数を判別し、
この判別された人数に応じて、前記第１のマイクと前記第２のマイクの何れかを設定する請求項７記載のテレビ電話方法。
【請求項１２】
前記第２の通信手段により前記第２の電子機器との間で映像と音声を送受信している間にテキストデータを入力し、
前記テキストデータを前記第２の電子機器に送信する請求項７記載のテレビ電話方法。
【発明の詳細な説明】
【技術分野】
【０００１】
本発明の実施形態は、映像及び音声を入出力する電子機器及びテレビ電話方法に関する。
【背景技術】
【０００２】
近年、パーソナルコンピュータや携帯電話機などの電子機器は、テレビ電話として利用することができる。電子機器には、カメラとマイクが搭載されている。電子機器は、テレビ電話機能が実行された場合、カメラとマイクから入力された映像と音声を、通信回線を通じて通話相手とする他の電子機器に送信する。また、電子機器は、通信回線を通じて受信した他の電子機器からの映像をディスプレイにおいて表示すると共に音声をスピーカから出力する。こうして、電子機器の間で相互に映像と音声を送受信することによりテレビ電話を実現している。
【先行技術文献】
【特許文献】
【０００３】
【特許文献１】特表２００９−５０９４００号公報
【発明の概要】
【発明が解決しようとする課題】
【０００４】
このように従来技術では、パーソナルコンピュータや携帯電話機などの電子機器をテレビ電話として利用する場合には、ディスプレイの表示画面が小さいために、テレビ電話をしても通話相手先の映像を小さな画面でしか見ることができない。そのため、本来、テレビ電話が持つ臨場感を損なってしまう。また、複数の話者が同時にテレビ電話を使用する場合、各話者がカメラの撮影範囲に含まれ、また各話者の発言がマイクによって入力されるように配置を考慮しなければならず使い勝手が良好とはいえなかった。
【０００５】
また、表示画面が大きいテレビ装置（テレビ受像器）をテレビ電話に利用することも考えられているが、テレビ装置に対する操作のためにリモコンを使用しなければならない。一般に、リモコンを使用した操作では、テレビ電話として使用するための各種設定や文字入力を容易にすることができず、使い勝手が悪くなってしまう。
【０００６】
本発明の目的は、使い勝手の良いテレビ電話を実現することが可能な電子機器及びテレビ電話方法を提供することである。
【課題を解決するための手段】
【０００７】
実施形態によれば、電子機器は、第１のマイクと、第１の通信手段と、設定手段と、及び第２の通信手段とを有する。第１通信手段は、第１の電子機器との間で映像と音声とを入出力する。設定手段は、前記第１のマイクと前記第１の電子機器に設けられた第２のマイクの何れかを設定する。第２の通信手段は、前記設定手段により設定された前記第１のマイクあるいは前記第２のマイクの何れかにより入力された音声と、前記第１の電子機器から入力された映像とを第２の電子機器に送信すると共に、前記第２の電子機器から映像と音声を受信する。
【図面の簡単な説明】
【０００８】
【図１】本実施形態における電子機器を利用したテレビ電話システムの一例を示す図。
【図２】本実施形態におけるテレビ電話システムの構成を示すブロック図。
【図３】本実施形態におけるマイク設定処理について示すフローチャート。
【図４】本実施形態におけるマイク設定画面の一例を示す図。
【図５】本実施形態におけるテレビ電話処理について示すフローチャート。
【図６】本実施形態におけるテレビ電話処理について示すフローチャート。
【図７】本実施形態におけるテレビ電話システムが使用される状況の一例を示す図。
【図８】本実施形態における画面例を示す図。
【図９】本実施形態におけるテレビ電話システムの構成を示すブロック図。
【発明を実施するための形態】
【０００９】
以下、図面を参照して、実施形態について説明する。  
図１は、本実施形態における電子機器を利用したテレビ電話システム１０の一例を示す図である。本実施形態では、電子機器によってテレビ電話を実現する。電子機器には、例えば携帯電話機、スマートフォン、タブレット端末などの携帯情報端末１１、パーソナルコンピュータ等の情報処理装置、通信機能が搭載されたテレビ装置１２などが含まれる。
【００１０】
図１において、テレビ電話システム１０は、携帯情報端末１１及びテレビ装置１２により構成されている。テレビ電話システム１０は、ネットワーク１４を介して接続される通話相手（テレビ電話システム１５、電子機器１８）と、相互に映像と音声を送受信するテレビ電話機能を実現する。ネットワーク１４は、無線電話網、インターネットなどを含む。テレビ電話システム１５は、テレビ電話システム１０と同様に携帯情報端末１６とテレビ装置１７によって構成されている。電子機器１８は、テレビ電話機能が設けられたパーソナルコンピュータ等によって実現される。
【００１１】
テレビ電話システム１０は、携帯情報端末１１により、ネットワーク１４を介して通話相手となるテレビ電話システム１５あるいは電子機器１８と接続する。携帯情報端末１１は、テレビ電話システム１５あるいは電子機器１８との通話の制御を行うもので、通話相手から送信される映像と音声を受信したテレビ装置１２に出力する。また、携帯情報端末１１は、テレビ装置１２から入力される映像と、携帯情報端末１１あるいはテレビ装置１２に設けられたマイクにより入力された音声を、通話相手となるテレビ電話システム１５あるいは電子機器１８に送信する。携帯情報端末１１は、通話相手の電子機器との間で、相互に映像と音声を送受信することでテレビ電話機能を実現する。また、携帯情報端末１１は、情報処理端末として基本的な入力操作機能を有しており、利用者が各種設定操作やテキスト入力操作等を容易にすることができるマンマシンインタフェースを提供する。
【００１２】
テレビ装置１２は、テレビ放送を受信して出力する一般的なテレビ受信機であり、テレビ放送出力機能の他に携帯情報端末１１と協働してテレビ電話機能を有している。テレビ装置１２は、テレビ電話機能を実行する場合、携帯情報端末１１を介して入力された通話相手からの映像と音声を出力する。また、テレビ装置１２は、マイクとカメラが設けられ、テレビ電話機能の実行中に話者が発した音声及び話者を含む所定範囲を撮影した映像を入力して、携帯情報端末１１に出力することができる。
【００１３】
図２は、本実施形態におけるテレビ電話システム１０（携帯情報端末１１、テレビ装置１２）の構成を示すブロック図である。  
図２に示すように、携帯情報端末１１は、制御部２１（ＣＰＵ２２）、記録部２３、通信部２４、操作部２５、通信部２６、音声出力部２７、スピーカ２８、表示制御部２９、ディスプレイ３０、音声入力部３１、及びマイク３２を備えている。
【００１４】
制御部２１は、携帯情報端末１１の全体を制御する。制御部２１は、記録部２３に記録された基本プログラム（Operating System）や各種アプリケーションプログラムをＣＰＵ２２により実行することで各部を制御し、各種機能を実現する。アプリケーションプログラムには、テレビ装置１２と協働してテレビ電話機能を実現するためのテレビ電話プログラムが含まれる。
【００１５】
記録部２３は、メモリ等により構成されるもので、各種プログラムや各種データを記録する。記録部２３には、例えばテレビ電話プログラム２３ａや、テレビ電話機能を制御するための各種データ（後述するマイク設定データ２３ｂを含む）が記録される。
【００１６】
通信部２４は、テレビ装置１２との通信を制御する。通信部２４は、テレビ装置１２（通信部５３）との間で、映像と音声を送受信するための通信をする。通信部２４は、一般的に用いられるＩＰ（internet protocol）ネットワークを使った通信をしてもよいし、無線通信技術を用いて通信しても良い。映像と音声を送受信する技術としては、例えば、ＩＰネットワークを使って伝送するＤＬＮＡ（Digital Living Network Alliance）ガイドラインやワイヤレスＨＤ（Wireless High Definition）等により策定された技術を用いることができる。
【００１７】
操作部２５は、ユーザ操作に応じたデータを入力するもので、例えばボタンやキーボード、タッチパッド等の入力デバイスを介してデータを入力する。
【００１８】
通信部２６は、無線通信によりネットワーク１４との接続を制御する。  
音声出力部２７は、制御部２１の制御のもとで、スピーカ２８から音声を出力させる。
表示制御部２９は、制御部２１の制御のもとで、ディスプレイ３０に映像やテキストなどを表示させる。  
音声入力部３１は、例えば話者によって発言された音声を、マイク３２を通じて入力する。
【００１９】
一方、テレビ装置１２は、図２に示すように、テレビ装置本体４０とマイク／カメラユニット４１により構成されている。  
テレビ装置本体４０は、制御部５０（ＣＰＵ５１）、記録部５２、通信部５３、ユニット制御部５４、音声出力部５５、スピーカ５６、表示制御部５７、ディスプレイ５８、及び操作部５９を備えている。マイク／カメラユニット４１は、マイク６０及びカメラ６１が設けられている。
【００２０】
制御部５０（ＣＰＵ５１）は、テレビ装置１２の全体を制御する。制御部５０は、記録部５２に記録された基本プログラム（Operating System）や各種アプリケーションプログラムをＣＰＵ２２により実行することで各部を制御し、各種機能を実現する。アプリケーションプログラムには、携帯情報端末１１と協働してテレビ電話機能を実現するためのテレビ電話プログラムが含まれる。
【００２１】
記録部５２は、メモリ等により構成されるもので、各種プログラムや各種データを記録する。記録部５２には、例えばテレビ電話プログラムや、テレビ電話機能を制御するための各種データが記録される。
【００２２】
通信部５３は、携帯情報端末１１との通信を制御する。通信部５３は、携帯情報端末１１（通信部２４）との間で、映像と音声を送受信するための通信をする。通信部５３は、一般的に用いられるＩＰネットワークを使った通信をしてもよいし、無線通信技術を用いて通信しても良い。映像と音声を送受信する技術としては、例えば、ＩＰネットワークを使って伝送するＤＬＮＡガイドラインやワイヤレスＨＤ等により策定された技術を用いることができる。
【００２３】
ユニット制御部５４は、マイク／カメラユニット４１を制御するもので、マイク／カメラユニット４１から映像及び音声を入力する。ユニット制御部５４は、マイク／カメラユニット４１と例えばＵＳＢ（Universal Serial Bus）ケーブルを介して接続される。なお、ユニット制御部５４は、ＵＳＢケーブル以外の信号線を介して、マイク／カメラユニット４１と接続される構成としても良い。
【００２４】
音声出力部５５は、制御部５０の制御のもとで、スピーカ５６から音声を出力させる。
表示制御部５７は、制御部５０の制御のもとで、ディスプレイ５８に映像やテキストなどを表示させる。
【００２５】
操作部５９は、ユーザ操作に応じたデータを入力するもので、例えばボタンやリモコンを介してデータを入力する。
【００２６】
マイク／カメラユニット４１は、マイク６０とカメラ６１が設けられており、マイク６０により入力された音声、及びカメラ６１により撮影された映像をテレビ装置本体４０（ユニット制御部５４）に出力する。マイク／カメラユニット４１は、例えばテレビ電話機能を実行する場合に使用される。マイク６０は、テレビ電話に使用するために、比較的広い範囲の音を入力することができる性能を有する。従って、テレビ装置１２の周辺にいる複数の話者の音声を入力することができる。また、カメラ６１は、テレビ電話に使用するために、ディスプレイ５８の表示面に相対する方向を撮影範囲とするように取り付けられている。つまり、ディスプレイ５８に表示された通話相手の映像を見ている話者を撮影できるようになっている。なお、図２においては、マイク／カメラユニット４１をテレビ装置本体４０とは別のユニットとして構成しているが、テレビ装置本体４０に内蔵されたマイク／カメラユニット６５として構成することも可能である。マイク／カメラユニット６５はマイク６６とカメラ６７が含まれる。
【００２７】
次に、本実施形態におけるテレビ電話システム１０の動作について説明する。  
本実施形態におけるテレビ電話システム１０は、携帯情報端末１１とテレビ装置１２とを協調動作させることにより、テレビ電話として使用することができる。テレビ電話では、話者を撮影した映像と話者が発言した音声を、ネットワーク１４を通じて通話相手と相互に送受信することができる。また、テレビ電話システム１０は、音声のみ、あるいは映像のみを、通話相手との間で送受信することができる。また、本実施形態におけるテレビ電話システム１０は、携帯情報端末１１においてテキストデータをユーザ操作に応じて入力し、テキストデータを通話相手との間で送受信することにより、文字のみによるテキストチャットをすることができる。携帯情報端末１１は、テレビ電話機能を実行している間に、テキストチャットを並行して実行することができる。
【００２８】
携帯情報端末１１は、情報処理端末として基本的な入力操作機能を有しているため、テレビ装置１２よりも文字の入力が容易である。このため、テキストチャットをする場合の文字入力や各種設定操作などを容易にすることができる。一方、テレビ装置１２は、携帯情報端末１１に設けられたディスプレイ３０よりも大きな画面を持つディスプレイ５８が設けられているために、テレビ電話として使用される場合に通信相手の映像の表示や音声出力をすることで、より良い臨場感をユーザに与えることができる。すなわち、携帯情報端末１１は、テレビ電話システム１０の設定やテキストチャットの操作を行い、テレビ装置１２は、テレビ電話をする際の映像と音声の出力をすることで、２種の電子機器の良いところを利用者が使うことができる。これにより、使い勝手の良いテレビ電話システム１０を実現する。
【００２９】
まず、本実施形態におけるテレビ電話システム１０において音声入力に使用するマイクを設定するためのマイク設定処理について、図３に示すフローチャートを参照しながら説明する。
【００３０】
本実施形態のテレビ電話システム１０では、テレビ電話機能を実行する場合、携帯情報端末１１を話者が操作するため、基本的にはテレビ装置１２と話者との距離よりも携帯情報端末１１と話者との距離の方が短い。一般に、エコーはマイクとスピーカの距離が、マイクと話者の距離よりも短くなることで発生しやすくなる。従って、携帯情報端末１１のマイク３２を使って話者の音声を入力したほうが、テレビ装置１２（マイク／カメラユニット４１）のマイク６０を使うよりもエコーの発生を抑えることができる。
【００３１】
一方、テレビ電話システム１０を複数の話者が同時に使用する場合、携帯情報端末１１から離れた場所にいる話者の発言が、携帯情報端末１１のマイク３２では集音することが困難となる。この場合、携帯情報端末１１のマイク３２を利用したままでは快適な通話の障害になるため、複数の話者の声を均一の大きさで集音できるマイク／カメラユニット４１のマイク６０を使用できるようにする。
【００３２】
携帯情報端末１１は、テレビ電話機能を実行する場合には、携帯情報端末１１のマイク３２とテレビ装置１２のマイク６０の何れを利用するか選択するためのマイク設定をすることができる。
【００３３】
携帯情報端末１１の制御部２１は、ユーザ操作に応じて、操作部２５からマイク設定要求が入力されると（ステップＡ１）、表示制御部２９を通じてディスプレイ３０にマイク設定画面を表示させる（ステップＡ２）。
【００３４】
図４は、本実施形態におけるマイク設定画面Ｄ１の一例を示す図である。図４に示すマイク設定画面Ｄ１では、テレビ電話利用時のマイクとして「テレビ装置側マイク」「本機マイク」「自動設定」の何れかに設定することができる。
【００３５】
制御部２１は、操作部２５に対するユーザ操作に応じて、テレビ電話に使用するマイクを選択する指示を入力し、マイク設定画面Ｄ１に設定状態を表示する（ステップＡ３）。図４に示すマイク設定画面Ｄ１は、「自動設定」が選択された設定状態を示している。
【００３６】
なお、「テレビ装置側マイク」は、マイク／カメラユニット４１のマイク６０を使用することを示し、「本機マイク」は、携帯情報端末１１のマイク３２を使用することを示している。また、「自動設定」は、テレビ装置１２のカメラ６１により撮影された映像（及びマイク６０により入力された音声）をもとに話者の人数あるいは話者の位置関係（話者間の距離）を判別し、この判別の結果に応じて、携帯情報端末１１のマイク３２とテレビ装置１２のマイク６０の何れかに自動的に切り替えて使用することを示している。「自動設定」を選択することで、テレビ電話を使用する状況に合わせて、携帯情報端末１１のマイク３２とテレビ装置１２のマイク６０の何れかをテレビ電話で使用できるように自動的に制御されるので、話者の利便性を向上させることができる。
【００３７】
「自動設定」が選択された場合には、設定条件として「話者数」と「話者間」の何れかに設定することができる。  
「話者数」は、予め設定された話者数以上であった場合に、テレビ装置１２のマイク６０を使用することを示している。「話者数」を設定した場合には、ユーザ操作に応じて、入力欄Ｃ１に話者数を入力することができる。デフォルト値として「２人」が入力されている。すなわち、話者が複数であった場合には、テレビ装置１２のマイク６０を使用してテレビ電話を実行し、話者が１人であった場合には、携帯情報端末１１のマイク３２を使用してテレビ電話を実行することができる。入力欄Ｃ１には「３人」以上の人数を入力することも可能である。例えば、入力欄Ｃ１に「３人」が入力された場合、話者が３人以上であった場合には、テレビ装置１２のマイク６０を使用してテレビ電話を実行し、話者が２人以下であった場合には、携帯情報端末１１のマイク３２を使用してテレビ電話を実行することができる。
【００３８】
「話者間」は、話者が複数である場合に、話者間の距離に基づいて、携帯情報端末１１のマイク３２とテレビ装置１２のマイク６０の何れかに切り替えて使用することを示している。例えば、最も離れた話者間の距離が予め決められた設定値より短いと判別された場合に、携帯情報端末１１のマイク３２を使用し、話者間の距離が設定値以上と判別された場合に、テレビ装置１２のマイク６０を使用することを示している。すなわち、話者が複数いる場合であっても、互いに近くにいるために全ての話者の声を携帯情報端末１１のマイク３２により入力できる状況にあれば、エコーの発生を抑えることができるように携帯情報端末１１のマイク３２を優先して使用する。
【００３９】
携帯情報端末１１には、情報処理端末として基本的な入力操作機能を有しており、マイク設定画面Ｄ１に対する設定操作を簡単に行うことが可能である。
【００４０】
マイク設定画面Ｄ１に対する設定操作が完了して、マイク設定の終了が指示されると、制御部２１は、マイク設定画面Ｄ１における設定内容を示すマイク設定データ２３ｂを記録部２３に記録して、処理を終了する（ステップＡ４）。このマイク設定データ２３ｂは、後述するテレビ電話処理において、テレビ電話で使用するマイクを切り替えるために参照される。
【００４１】
次に、本実施形態における携帯情報端末１１のテレビ電話処理について、図５及び図６に示すフローチャートを参照しながら説明する。  
まず、テレビ電話を使用する場合には、携帯情報端末１１のメニューなどからテレビ電話処理の開始を指示する。制御部２１（ＣＰＵ２２）は、テレビ電話処理の開始が指示されると、テレビ電話プログラム２３ａに応じたテレビ電話処理を開始する。
【００４２】
制御部２１は、テレビ電話システム１０を構成するために、通信部２４によりテレビ装置１２を検索する。携帯情報端末１１の通信部２４とテレビ装置本体４０の通信部５３とがＩＰネットワークにより通信する場合、通信部２４は、テレビ装置本体４０（通信部５３）のＩＰアドレスを取得して、通信部５３と接続する（ステップＢ１）。制御部２１は、通信部２４を通じて取得されたテレビ装置本体４０のＩＰアドレスを記録しておく。制御部２１は、ＩＰアドレスが記録されている場合には、このＩＰアドレスを用いて、直接、テレビ装置１２と接続することができる。
【００４３】
制御部２１は、テレビ装置１２と接続されると、テレビ装置本体４０に対してテレビ電話機能の起動を指示する。テレビ装置本体４０の制御部５０は、携帯情報端末１１からの指示応じてテレビ電話機能を起動して、マイク／カメラユニット４１に対して映像及び音声の入力を指示する。マイク／カメラユニット４１は、マイク６０による音声の入力、及びカメラ６１による映像の入力を開始して、テレビ装置本体４０に出力する。制御部５０は、ユニット制御部５４を通じてマイク／カメラユニット４１から入力される映像を、ディスプレイ５８において表示させると共に通信部５３を通じて携帯情報端末１１に送信する。
【００４４】
次に、制御部２１は、記録部２３に記録されたマイク設定データ２３ｂを参照して、テレビ電話で使用するマイクの設定を行う。マイク設定データ２３ｂにおいて、「テレビ装置側マイク」を使用する設定がされている場合（ステップＢ３のＹｅｓ）、制御部２１は、テレビ装置１２側のマイク６０から入力された音声をテレビ電話に使用するために、通信部２４を通じて、テレビ装置１２に対してマイク６０の利用を指示する（ステップＢ１２）。テレビ装置１２の制御部５０は、携帯情報端末１１からの指示に応じて、マイク６０から入力された音声を映像と共に、通信部５３を通じて携帯情報端末１１に送信するように制御する。
【００４５】
一方、マイク設定データ２３ｂにおいて、「本機マイク」を使用する設定がされている場合（ステップＢ４のＹｅｓ）、制御部２１は、自機に設けられたマイク３２から入力された音声をテレビ電話に使用するために、音声入力部３１を通じてマイク３２から音声を入力するように制御する（ステップＢ１３）。
【００４６】
なお、マイク設定データ２３ｂにおいて「自動設定」が設定されている場合（ステップＢ４のＮｏ）、制御部２１は、設定条件に応じてマイクを切り替えるために、テレビ装置１２から入力される映像に基づいて話者に該当するオブジェクトを検出する（ステップＢ５）。例えば、制御部２１は、テレビ装置１２のカメラ６１によって撮影された映像中から人物の顔に該当する領域（オブジェクト）を検出する。人物の顔は、目、鼻、口などの配置が予め推定されるため比較的容易に映像中から検出することができる。人物の顔に該当する領域を検出する方法については、既知の技術を利用することができる。
【００４７】
通常、テレビ装置１２を用いてテレビ電話を利用する場合、話者は、テレビ装置１２に表示される映像を見るために、テレビ装置１２側に顔を向けている。従って、カメラ６１による映像の撮影範囲を、テレビ装置１２のディスプレイ５８の表示面と相対する方向にしておくことで、話者の顔を含む映像を入力して、この映像中から人物の顔を検出することができる。制御部２１は、映像中から検出された顔に該当する領域の数に基づいて、話者の人数を判別する（ステップＢ６）。
【００４８】
なお、前述した説明では、映像中から人物の顔を検出するとしているが、その他の話者に該当するオブジェクトを検出するようにしても良い。例えば、映像中で変化しているオブジェクトを検出できた場合には話者が存在しているものとし、その変化しているオブジェクトの数をもとに話者の数を判別することもできる。また、複数の話者に該当するオブジェクトが重なっているような場合、オブジェクトの色（例えば話者の服の色）の違いに基づいて、話者別のオブジェクトを区別するようにしても良い。その他、話者の人数を判別する方法については既存の技術を使用することが可能である。
【００４９】
ここで、マイク設定データ２３ｂの設定条件に「話者数」が設定されている場合（ステップＢ７のＹｅｓ）、制御部２１は、テレビ装置１２から受信した映像に基づいて判別した話者の人数が、マイク設定データ２３ｂに設定された人数以上であるか判別する。話者人数が設定数以上である場合（ステップＢ８のＹｅｓ）、制御部２１は、テレビ装置１２側のマイク６０から入力された音声をテレビ電話に使用するために、通信部２４を通じて、テレビ装置１２に対してマイク６０の利用を指示する（ステップＢ１２）。これにより、例えば複数の話者がいる場合に、テレビ装置１２のマイク６０によって、各話者の発言を入力することができるようにする。
【００５０】
テレビ装置１２の制御部５０は、携帯情報端末１１からの指示に応じて、マイク６０から入力された音声を映像と共に、通信部５３を通じて携帯情報端末１１に送信するように制御する。
【００５１】
一方、話者人数が設定数以上でない場合（ステップＢ８のＮｏ）、制御部２１は、自機に設けられたマイク３２から入力された音声をテレビ電話に使用するために、音声入力部３１を通じてマイク３２から音声を入力するように制御する（ステップＢ１３）。これにより、例えば話者が１人である場合に、携帯情報端末１１のマイク３２によって話者の発言を入力することができるようにする。携帯情報端末１１のマイク３２をテレビ電話で使用することでエコーの発生を抑えることができる。
【００５２】
また、マイク設定データ２３ｂの設定条件に「話者間」が設定されている場合（ステップＢ９のＹｅｓ）、制御部２１は、テレビ装置１２から受信した映像から検出される話者に該当するオブジェクトに基づいて、話者間距離を判別する（ステップＢ１０）。例えば、制御部２１は、テレビ装置１２から受信した映像から話者に該当するオブジェクトを検出し、このオブジェクトの顔に対応する領域のサイズや映像中におけるオブジェクトの位置関係をもとに話者間の距離を算出する。
【００５３】
図７は、本実施形態におけるテレビ電話システム１０が使用される状況の一例を示す図である。  
図７は、テレビ装置本体４０のディスプレイ５８と相対するように、３人の話者Ｓ１，Ｓ２，Ｓ３が座っていることを表している。この場合、マイク／カメラユニット４１のカメラ６１によって撮影された映像には３人の話者Ｓ１，Ｓ２，Ｓ３が含まれている。制御部２１は、例えば最も離れた話者Ｓ２，Ｓ３の映像中の位置や、映像から判別されるマイク／カメラユニット４１から話者Ｓ２，Ｓ３までの距離をもとにして、話者Ｓ２，Ｓ３の距離を算出する。なお、マイク／カメラユニット４１から話者Ｓ２，Ｓ３までの距離は、例えば、話者の顔に相当するオブジェクトのサイズをもとに算出したり、あるいはマイク／カメラユニット４１に話者との距離を測定する距離センサなどを設け、この距離センサの検出データを映像と共に受信したりすることにより判別するようにしても良い。また、その他の既存の画像処理技術を用いて、映像中の話者の距離を算出するようにしても良い。
【００５４】
ここで、話者間距離が設定値以上であると判別される場合、制御部２１は、テレビ装置１２側のマイク６０から入力された音声をテレビ電話に使用するために、通信部２４を通じて、テレビ装置１２に対してマイク６０の利用を指示する（ステップＢ１２）。テレビ装置１２の制御部５０は、携帯情報端末１１からの指示に応じて、マイク６０から入力された音声を映像と共に、通信部５３を通じて携帯情報端末１１に送信するように制御する。
【００５５】
一方、話者間距離が設定値以上でないと判別される場合、制御部２１は、自機に設けられたマイク３２から入力された音声をテレビ電話に使用するために、音声入力部３１を通じてマイク３２から音声を入力するように制御する（ステップＢ１３）。
【００５６】
例えば、図７において、話者Ｓ２，Ｓ３との距離が設定値以上であると判別した場合、すなわち携帯情報端末１１に設けられたマイク３２では安定して各話者の音声を入力することが困難な状況である場合には、テレビ装置１２のマイク６０により音声を入力して、テレビ電話を実行できるようにする。
【００５７】
一方、話者Ｓ２，Ｓ３との距離が設定値以上でないと判別した場合、すなわち話者Ｓ２，Ｓ３の距離が短いために、図７に示すように、話者Ｓ２，Ｓ３の間に携帯情報端末１１を配置することで、携帯情報端末１１に設けられたマイク３２でも安定して各話者の音声を入力することが可能な状況である場合には、携帯情報端末１１のマイク３２により音声を入力して、テレビ電話を実行できるようにする。
【００５８】
なお、前述した説明では、テレビ装置１２のカメラ６１によって撮影された映像をもとに話者数を検出しているが、テレビ装置１２のマイク６０あるいは携帯情報端末１１のマイク３２によって入力された音声をもとに話者の人数を判別することも可能である。例えば、制御部２１は、マイク６０あるいはマイク３２から入力された音声について周波数解析や声紋判定などの分析を実行することで話者の違いを検出する。例えば、予め決められた時間内に入力された音声について、１人の話者からの音声入力のみであると判別された場合には、携帯情報端末１１のマイク３２をテレビ電話で使用するように設定し、また複数（「話者数」の設定条件として指定され話者数以上）の話者からの音声入力があったと判別された場合には、テレビ装置１２のマイク６０をテレビ電話で使用するように設定する。
【００５９】
また、音声をもとに話者の人数を判別する方法は、前述した映像をもとに判別する方法に代えて実行しても良いし、映像をもとにした判別と併用するようにしても良い。映像と音声の判別を併用する場合には、例えば映像を用いた人数判別では複数の話者が検出された場合であっても、実際に発言している話者が１人であると判別された場合には、携帯情報端末１１のマイク３２を使用するように設定する。
【００６０】
こうして、テレビ電話で使用するマイクの設定が完了すると、制御部２１は、操作部２５からユーザ操作に応じて入力される通話相手の選択指示に応じて、通信部２６を通じて通話相手との回線接続を制御する（ステップＢ１４）。そして、制御部２１は、テレビ電話による通話を開始する。すなわち、マイク／カメラユニット４１によって入力される映像と音声を、通信部２６を通史で通話相手に送信すると共に、通話相手から受信される映像と音声とをテレビ装置１２（テレビ装置本体４０）に出力し、テレビ装置本体４０のディスプレイ５８に通話相手の映像を表示させると共にスピーカ５６から通話相手の音声を出力させる（ステップＢ１７）。
【００６１】
また、制御部２１は、ディスプレイ５８において表示される、図８に示すようなテレビ電話用の画面Ｄ２に、例えばマイク切り替え用のボタンを表示させる。図８に示す例では、テレビ装置１２側のマイク６０の利用を指示するためのボタンＣ２と、携帯情報端末１１のマイク３２の利用を指示するためのボタンＣ３が表示されている。ボタンＣ２，Ｃ３は、例えば操作部５９によって検出されるテレビ装置１２のリモコンの操作によって選択できるようにしても良いし、携帯情報端末１１の操作部２５に対する操作によって選択できるようにしても良い。リモコンの操作によってボタンＣ２，Ｃ３が選択される場合には、制御部５０は、通信部５３を通じて、携帯情報端末１１に通知する。制御部２１は、ボタンＣ２，Ｃ３の選択によってマイク切替指示が入力されると（ステップＢ１５のＹｅｓ）、選択されたボタンに応じてテレビ装置１２のマイク６０、あるいは携帯情報端末１１のマイク３２をテレビ電話で使用するように、マイク切り替えの制御をする（ステップＢ１６）。
【００６２】
すなわち、テレビ電話によって通話相手と通話している間に、ユーザ操作によって、任意にテレビ装置１２のマイク６０と携帯情報端末１１のマイク３２の何れかに切り替えて、テレビ電話を実行することができる。例えば、テレビ電話をしている間に話者の人数の増減があった場合に、その都度、話者人数や話者の位置（相互距離）に合わせて、簡単な操作によって、テレビ装置１２のマイク６０あるいは携帯情報端末１１のマイク３２の何れかを選択することができる。従って、状況に合わせた最適なマイクを利用してテレビ電話による通話が可能となる。
【００６３】
なお、本実施形態における携帯情報端末１１は、テレビ電話による通話中にテキストチャットをすることができる。制御部２１は、テキストチャットの実行が要求された場合には、テキストチャット用のテキストエリアを携帯情報端末１１のディスプレイ３０、及びテレビ装置１２のディスプレイ５８において表示させる。ここで、携帯情報端末１１の操作部２５に対する操作によってテキストが入力されると（ステップＢ１８のＹｅｓ）、テキストデータを通話相手に送信する（ステップＢ１９）。また、制御部２１は、通話相手よりテキストデータを受信した場合には、テキストエリアに通話相手からのテキストを表示させる。
【００６４】
こうして、ＴＶ電話による通話の間であっても、携帯情報端末１１を操作することで、テレビ電話と並行してテキストチャットを実行することができる。携帯情報端末１１は、情報処理端末として基本的な入力操作機能を有しているため、テキストチャットのためのテキスト入力操作を容易にすることができる。
【００６５】
なお、テキストチャットによるテキストデータの送受信だけでなく、携帯情報端末１１の操作によって各種のデータの送受信をできるようにしても良い。例えば、携帯情報端末１１の操作によって各種ファイルの送受信などを通話相手と実行できるようにしても良い。一般に、携帯情報端末１１には、ファイル操作を容易にすることができる機能が設けられているため、この機能を使って容易に通話相手とファイルの交換などを実施することができる。
【００６６】
制御部２１は、操作部２５からテレビ電話の終了がユーザ操作によって指示されると（ステップＢ２０のＹｅｓ）、通話相手との回線を切断すると共にテレビ装置１２との通信を終了して、テレビ電話機能を終了する。
【００６７】
このようにして、本実施形態におけるテレビ電話システム１０は、携帯情報端末１１とテレビ装置１２とを協働させてテレビ電話機能を実現するので、使い勝手の良いテレビ電話を実現することが可能となる。
【００６８】
すなわち、携帯情報端末１１を用いることで、各種設定やテレビ電話に付随するテキストチャットなど容易にすることができる。また、テレビ電話では、携帯情報端末１１よりも画面サイズが大きいテレビ装置１２によって映像及び音声を出力するので、テレビ電話が持つ臨場感が得られる。また、テレビ電話により通話をする話者の人数が設定数より少ない（例えば１人）、あるいは複数の話者間の距離が短い場合には、携帯情報端末１１に設けられたマイク３２をテレビ電話で使用することで、テレビ装置１２のスピーカ５６とマイク３２とが離れるのでエコーの発生を確実に抑え、ノイズの入力を低減することができる。一方、話者数が設定数以上である場合には、テレビ装置１２のマイク６０を使用することで、複数の話者の音声を同じように入力することができるので、各話者をマイクの位置を考慮して配置するといったことも不要となり、簡単にテレビ電話を開始することができる。また、テレビ装置１２のマイク６０を使用するか、あるいは携帯情報端末１１のマイク３２を使用するかを、利用者が選択することができるので、利用状況に合わせた設定を容易にすることができる。
【００６９】
なお、前述した説明では、携帯情報端末１１とテレビ装置１２とを協働させてテレビ電話機能を実現しているが、テレビ装置１２以外の電子機器と携帯情報端末１１とを協働させるようにしても良い。
【００７０】
図９は、携帯情報端末１１とセットトップボックス７０とを協働させてテレビ電話システム１０を実現する構成例を示すブロック図である。なお、図９において、図２に示す構成と同様に動作する部分については詳細な説明を省略する。
【００７１】
セットトップボックス７０は、外部から入力された映像と音声をテレビ装置７２において出力させる機能を有している。また、セットトップボックス７０は、前述したテレビ装置１２と同様に、テレビ電話を実現ための機能が設けられている。セットトップボックス７０には、制御部８０（ＣＰＵ８１）、記録部８２、通信部８３、ユニット制御部８４、及び映像／音声出力部８５が設けられている。
【００７２】
制御部８０（ＣＰＵ８１）は、セットトップボックス７０の全体を制御する。制御部８０は、記録部８２に記録されたテレビ電話プログラムを実行することで、携帯情報端末１１と協働してテレビ電話機能を実現する。  
記録部８２は、メモリ等により構成されるもので、各種プログラムや各種データを記録する。記録部８２には、例えばテレビ電話プログラムや、テレビ電話機能を制御するための各種データが記録される。
【００７３】
通信部８３は、携帯情報端末１１との通信を制御する。通信部８３は、携帯情報端末１１（通信部２４）との間で、映像と音声を送受信するための通信をする。  
ユニット制御部８４は、マイク／カメラユニット４１を制御するもので、マイク／カメラユニット４１から映像及び音声を入力する。  
映像／音声出力部８５は、携帯情報端末１１から受信された映像と音声をテレビ装置７２に出力する。
【００７４】
なお、セットトップボックス７０は、テレビ装置１２と同様に、マイク８７とカメラ８８を有するマイク／カメラユニット８６を内蔵する構成とすることもできる。
【００７５】
なお、図９に示す構成による動作は、前述したテレビ装置１２の動作とほぼ同様にして実行されるので、詳細な説明を省略する。
【００７６】
このようにして、テレビ装置１２に限らず、セットトップボックス７０と携帯情報端末１１とによってテレビ電話システム１０を実現することができる。セットトップボックス７０によってテレビ電話システム１０を構成した場合も、テレビ装置１２を用いた場合と同様の効果を得ることができる。
【００７７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７８】
また、前述した実施の形態において記載した処理は、コンピュータに実行させることのできるプログラム（テレビ電話プログラム）として、例えば磁気ディスク（フレキシブルディスク、ハードディスク等）、光ディスク（ＣＤ−ＲＯＭ、ＤＶＤ等）、半導体メモリなどの記録媒体に書き込んで各種装置に提供することができる。また、通信媒体により伝送して各種装置に提供することも可能である。コンピュータは、記録媒体に記録されたプログラムを読み込み、または通信媒体を介してプログラムを受信し、このプログラムによって動作が制御されることにより、上述した処理を実行する。
【符号の説明】
【００７９】
１０，１５…テレビ電話システム、１１，１６…携帯情報端末、１２，１７，７２…テレビ装置、１４…ネットワーク、１８…電子機器、２１，５０…制御部、２２，５１…ＣＰＵ、４１…マイク／カメラユニット、６０…マイク、６１…カメラ、７０…セットトップボックス。
【図１】
2012248990.tif 000003
【図２】
2012248990.tif 000004
【図３】
2012248990.tif 000005
【図４】
2012248990.tif 000006
【図５】
2012248990.tif 000007
【図６】
2012248990.tif 000008
【図７】
2012248990.tif 000009
【図８】
2012248990.tif 000010
【図９】
2012248990.tif 000011
【手続補正書】
【提出日】平成24年5月31日(2012.5.31)
【手続補正１】
【補正対象書類名】特許請求の範囲
【補正対象項目名】全文
【補正方法】変更
【補正の内容】
【特許請求の範囲】
【請求項１】
第１のマイクと、
第１の電子機器との間で映像と音声とを入出力するための第１の通信手段と、
前記第１のマイクと前記第１の電子機器に設けられる第２のマイクとの何れを使用するかを設定するための設定手段と、
前記設定手段により設定された前記第１のマイクあるいは前記第２のマイクの何れかにより入力される音声と、前記第１の電子機器から入力される映像とを第２の電子機器に送信するためのものであって、前記第２の電子機器から映像と音声を受信するための第２の通信手段と、
を具備し、
前記設定手段は、前記第１の電子機器から入力される音声または映像の少なくとも一方に応じて、前記第１のマイクまたは前記第２のマイクの一方を設定可能とする電子機器。
【請求項２】
前記第１の電子機器から入力される音声または映像の少なくとも一方に応じて、前記第１のマイクまたは前記第２のマイクの一方を選択するための指示を入力可能とする入力手段をさらに具備し、
前記設定手段は、前記指示に応じて、前記第１のマイクと前記第２のマイクの何れかを設定するためのものである請求項１記載の電子機器。
【請求項３】
前記第１の電子機器から入力された映像に基づいて、前記映像に含まれる人物の数を判別する第１の判別手段をさらに具備し、
前記設定手段は、前記第１の判別手段により判別された人数に応じて、前記第１のマイクまたは前記第２のマイクの一方を設定する請求項１記載の電子機器。
【請求項４】
前記第１の電子機器から入力された映像に基づいて、前記映像に含まれる人物の間の距離を判別する第２の判別手段をさらに具備し、
前記設定手段は、前記第２の判別手段により判別された距離に応じて、前記第１のマイクまたは前記第２のマイクの一方を設定する請求項１記載の電子機器。
【請求項５】
前記第１の電子機器から入力された音声に基づいて、前記音声を発した人物の数を判別する第３の判別手段をさらに具備し、
前記設定手段は、前記第３の判別手段により判別された人数に応じて、前記第１のマイクまたは前記第２のマイクの一方を設定する請求項１記載の電子機器。
【請求項６】
前記第２の通信手段により前記第２の電子機器との間で映像と音声を送受信している間に、テキストデータを入力するテキスト入力手段をさらに具備し、
前記第２の通信手段は、前記テキストデータを前記第２の電子機器に送信する請求項１記載の電子機器。
【請求項７】
第１のマイクを有する電子機器により実行されるテレビ電話方法であって、
前記電子機器は、
第１の電子機器から映像と音声とを入力し、
前記第１の電子機器から入力される音声または映像の少なくとも一方に応じて、前記第１のマイクまたは前記第１の電子機器に設けられる第２のマイクの一方を使用するように設定し、
前記第１のマイクあるいは前記第２のマイクの何れかにより入力される音声と、前記第１の電子機器から入力される映像とを第２の電子機器に送信し、
前記第２の電子機器から映像と音声を受信し、
前記第２の電子機器から受信した映像と音声を前記第１の電子機器に出力するテレビ電話方法。
【請求項８】
前記電子機器は、
前記第１の電子機器から入力される音声または映像の少なくとも一方に応じて、前記第１のマイクまたは前記第２のマイクの一方を選択するための指示を入力し、
この指示に応じて、前記第１のマイクと前記第２のマイクの何れかを設定する請求項７記載のテレビ電話方法。
【請求項９】
前記電子機器は、
前記第１の電子機器から入力された映像に基づいて、前記映像に含まれる人物の数を判別し、
この判別された人数に応じて、前記第１のマイクまたは前記第２のマイクの一方を設定する請求項７記載のテレビ電話方法。
【請求項１０】
前記電子機器は、
前記第１の電子機器から入力された映像に基づいて、前記映像に含まれる人物の間の距離を判別し、
この判別された距離に応じて、前記第１のマイクまたは前記第２のマイクの一方を設定する請求項７記載のテレビ電話方法。
【請求項１１】
前記電子機器は、
前記第１の電子機器から入力された音声に基づいて、前記音声を発した人物の数を判別し、
この判別された人数に応じて、前記第１のマイクまたは前記第２のマイクの一方を設定する請求項７記載のテレビ電話方法。
【請求項１２】
前記電子機器は、
前記第２の通信手段により前記第２の電子機器との間で映像と音声を送受信している間にテキストデータを入力し、
前記テキストデータを前記第２の電子機器に送信する請求項７記載のテレビ電話方法。
【請求項１３】
第１のマイクと、
第１の電子機器との間で映像と音声とを入出力するための第１の通信手段と、
前記第１の電子機器から入力される音声または映像の少なくとも一方に応じて、人物の存在を判別する判別手段と、
前記人物の存在に基づいて、前記第１のマイクと前記第１の電子機器に設けられる第２のマイクとの何れを使用するかを設定するための設定手段と、
前記設定手段により設定された前記第１のマイクあるいは前記第２のマイクの何れかにより入力される音声と、前記第１の電子機器から入力される映像とを第２の電子機器に送信するためのものであって、前記第２の電子機器から映像と音声を受信するための第２の通信手段と、
を具備する電子機器。
【手続補正２】
【補正対象書類名】明細書
【補正対象項目名】０００７
【補正方法】変更
【補正の内容】
【０００７】
実施形態によれば、電子機器は、第１のマイクと、第１の通信手段と、設定手段と、及び第２の通信手段とを有する。第１通信手段は、第１の電子機器との間で映像と音声とを入出力する。第１の通信手段は、第１の電子機器との間で映像と音声とを入出力する。設定手段は、前記第１のマイクと前記第１の電子機器に設けられる第２のマイクとの何れかを使用するかを設定する。第２の通信手段は、前記設定手段により設定された前記第１のマイクあるいは前記第２のマイクの何れかにより入力される音声と、前記第１の電子機器から入力される映像とを第２の電子機器に送信するためのものであって、前記第２の電子機器から映像と音声を受信する。前記設定手段は、前記第１の電子機器から入力される音声または映像の少なくとも一方に応じて、前記第１のマイクまたは前記第２のマイクの一方を設定可能とする。
【手続補正３】
【補正対象書類名】明細書
【補正対象項目名】００２０
【補正方法】変更
【補正の内容】
【００２０】
制御部５０（ＣＰＵ５１）は、テレビ装置１２の全体を制御する。制御部５０は、記録部５２に記録された基本プログラム（Operating System）や各種アプリケーションプログラムをＣＰＵ５１により実行することで各部を制御し、各種機能を実現する。アプリケーションプログラムには、携帯情報端末１１と協働してテレビ電話機能を実現するためのテレビ電話プログラムが含まれる。
【手続補正４】
【補正対象書類名】明細書
【補正対象項目名】００４３
【補正方法】変更
【補正の内容】
【００４３】
制御部２１は、テレビ装置１２と接続されると、テレビ装置本体４０に対してテレビ電話機能の起動を指示する。テレビ装置本体４０の制御部５０は、携帯情報端末１１からの指示に応じてテレビ電話機能を起動して、マイク／カメラユニット４１に対して映像及び音声の入力を指示する。マイク／カメラユニット４１は、マイク６０による音声の入力、及びカメラ６１による映像の入力を開始して、テレビ装置本体４０に出力する。制御部５０は、ユニット制御部５４を通じてマイク／カメラユニット４１から入力される映像を、ディスプレイ５８において表示させると共に通信部５３を通じて携帯情報端末１１に送信する。
【手続補正５】
【補正対象書類名】明細書
【補正対象項目名】００６０
【補正方法】変更
【補正の内容】
【００６０】
こうして、テレビ電話で使用するマイクの設定が完了すると、制御部２１は、操作部２５からユーザ操作に応じて入力される通話相手の選択指示に応じて、通信部２６を通じて通話相手との回線接続を制御する（ステップＢ１４）。そして、制御部２１は、テレビ電話による通話を開始する。すなわち、マイク／カメラユニット４１によって入力される映像と音声を、通信部２６を通じて通話相手に送信すると共に、通話相手から受信される映像と音声とをテレビ装置１２（テレビ装置本体４０）に出力し、テレビ装置本体４０のディスプレイ５８に通話相手の映像を表示させると共にスピーカ５６から通話相手の音声を出力させる（ステップＢ１７）。
【手続補正６】
【補正対象書類名】図面
【補正対象項目名】図９
【補正方法】変更
【補正の内容】
【図９】
2012248990.tif 000012